(57)【要約】【課題】火災時に、枠が変形した場合であっても、枠体と障子の框体との間を閉塞して、室内外の連通を防止する。【解決手段】加熱発泡材と加熱発泡材を覆う金属製の遮へい板を備え、遮へい板は、枠材又は框材のいずれか一方部材に固定される固定部と、一方部材に固定される加熱発泡材を覆うとともに一方部材に当接する遮へい部を有し、遮へい部の一方部材への当接部分は、枠材又は框材のいずれか他方部材に近接されており、加熱発泡材の熱による発泡によって遮へい板が変形して当接部分が離間することで、加熱発泡材が一方部材と他方部材との間に向かって発泡する。【選択図】  図４
2020204183.tif 000002
【特許請求の範囲】
【請求項１】
加熱発泡材と加熱発泡材を覆う金属製の遮へい板を備え、
遮へい板は、枠材又は框材のいずれか一方部材に固定される固定部と、一方部材に固定される加熱発泡材を覆うとともに一方部材に当接する遮へい部を有し、
遮へい部の一方部材への当接部分は、枠材又は框材のいずれか他方部材に近接されており、
加熱発泡材の熱による発泡によって遮へい板が変形して当接部分が離間することで、加熱発泡材が一方部材と他方部材との間に向かって発泡する防火建具。
【発明の詳細な説明】
【技術分野】
【０００１】
本発明は、火災時に、枠体の枠材と障子の框材との間における室内外の連通を防止する防火建具に関する。
【背景技術】
【０００２】
従来、枠体の内周に障子を配置した建具において、枠体の枠材と障子の框材との間に加熱発泡材を配置して、火災時に、室内外の連通を防止する建具が知られている。
【先行技術文献】
【特許文献】
【０００３】
【特許文献１】特開２０１４−７７２７６号公報
【発明の概要】
【発明が解決しようとする課題】
【０００４】
上記特許文献１に示す建具においては、加熱発泡材が発泡することで枠体と障子との間を塞いで室内外の連通を防止することができる。
しかし、火災時の熱によって発泡した加熱発泡材は、枠体と障子との間に確実に向かうとは限らず、加熱発泡材によって必ずしも枠体と障子との間を塞ぐことができるとは限らなかった。
【０００５】
本発明は、火災時に発泡する加熱発泡材によって、より確実に枠体と障子との間を塞ぐことを目的とする。
【課題を解決するための手段】
【０００６】
本発明の一実施形態は、加熱発泡材と加熱発泡材を覆う金属製の遮へい板を備え、遮へい板は、枠材又は框材のいずれか一方部材に固定される固定部と、一方部材に固定される加熱発泡材を覆うとともに一方部材に当接する遮へい部を有し、遮へい部の一方部材への当接部分は、枠材又は框材のいずれか他方部材に近接されており、加熱発泡材の熱による発泡によって遮へい板が変形して当接部分が離間することで、加熱発泡材が一方部材と他方部材との間に向かって発泡する防火建具である。
【発明の効果】
【０００７】
本発明の本実施形態によれば、火災時に発泡する加熱発泡材によって、より確実に枠体と障子との間を塞ぐことができる。
【図面の簡単な説明】
【０００８】
【図１】本発明の実施形態に係る防火建具の竪断面図である。
【図２】本発明の実施形態に係る防火建具の横断面図である。
【図３】本発明の実施形態に係る防火建具の遮へい板の取付状態を説明する図面であり、（ａ）は、竪枠に遮へい板を取り付けた図であり、（ｂ）（ｃ）は、遮へい板の図である。
【図４】本発明の第１の実施形態に係る防火建具の加熱発泡材によって枠体と障子との間を塞ぐ状態を説明する図面であり、（ａ）は、発泡前の状態、（ｂ）は、発泡後の状態を示した図である。
【図５】本発明の第２の実施形態に係る防火建具の加熱発泡材によって枠体と障子との間を塞ぐ状態を説明する図面であり、（ａ）は、発泡前の状態、（ｂ）は、発泡後の状態を示した図である。
【図６】本発明の第3の実施形態に係る防火建具の加熱発泡材によって枠体と障子との間を塞ぐ状態を説明する図面であり、（ａ）は、加熱発泡材の発泡前の状態、（ｂ）は、加熱発泡材の発泡後の状態を示した図である。
【図７】本発明の第４の実施形態に係る防火建具の加熱発泡材によって枠体と障子との間を塞ぐ状態を説明する図面であり、（ａ）（ｂ）は、加熱発泡材の発泡前の状態、（ｃ）は、加熱発泡材の発泡後の状態を示した図である。
【発明を実施するための形態】
【０００９】
本発明の実施形態について、竪枠と竪框との間にダンパーを配置してなる内倒し窓の例を用い、図面を参考にして説明する。
【００１０】
（全体の構成）
本発明の実施形態の内倒し窓は、建物の躯体開口部に配置される枠体１と、枠体１に対して下辺を軸にして上辺が室内側へ開放するように支持される障子２とを備える。
枠体１は、上枠１１、下枠１２の内周面に左、右の竪枠１３，１３の端部を突き合わせて四周組して形成されている。
障子２は、上框２１、下框２２及び左、右の竪框２３，２３を四周組みし、内周にガラス等のパネル体を配置して形成されており、枠体１の下枠１２に内倒し自在に取り付けられている。
左、右の竪枠１３，１３と左、右の竪框２３，２３との間には、ダンパー８，８が配置されており、障子２の開閉時の動きを緩衝している。
【００１１】
（上枠及び上框）
本実施形態の枠体１を構成する上枠１１は、図１に示すように、アルミニウム合金等の金属材料からなり、躯体開口部に取り付けられる上枠本体部１１１と、上枠本体部１１１の室外側内周面より内周方向（下方）に延設される室外側壁部１１２を有している。
上枠１１の室外側壁部１１２の室内側面には、加熱発泡材ｆ１２が配置されている。
【００１２】
上枠本体部１１１は、断面略矩形の中空形状をなし、中空部の内周面を形成する内周壁の室外側部分が室内側部分よりも内周側に位置することで、室外側部分と室内側部分との間に段部が形成されている。
上枠本体部１１１は、段部を形成する垂直面１１１ａの室内側面にホルダが設けられており、該ホルダに気密材が配置されている。
【００１３】
一方、障子２を構成する上框２１は、アルミニウム合金等の金属材料からなり、中空部を有する上框本体部２１１と、上框本体部２１１の室内側外周面から外周方向に延設された室内側壁部２１２を有しており、上框本体部２１１の内周側にガラス間口２１１ａが設けられている。
上框２１のガラス間口２１１ａ内には、加熱発泡材ｆが配置されている。
【００１４】
上枠１１の上枠本体部１１１の内周面の室外側部分と上框２１の上框本体部２１１の外周面との間に、障子２の開閉動作を行う開閉機構５１が配置されており、リモコン等によって障子２の開閉動作を行うようことができる。なお、開閉機構５１は、なくてもよい。
【００１５】
障子２の閉鎖状態において、上枠１１の垂直面１１１ａに配置した気密材が上框２１の室内側壁部２１２の室外側面に当接して気密部ｓ１が形成されており、上框２１の室内側壁部２１２の室外側面には、気密部ｓ１に近接して加熱発泡材ｆ１１が配置されている。
【００１６】
（下枠及び下框）
本実施形態の枠体１を構成する下枠１２は、アルミニウム合金等の金属材料からなり、図１に示すように、躯体開口部に固定される下枠本体部１２１と、下枠本体部１２１の室内側から内周方向に延設される中空の室内側立設部１２２を有している。
室内側立設部１２２の中空部内には、加熱発泡材ｆが配置されていてもよい。
【００１７】
室内側立設部１２２の室外側面には、障子２を内倒し自在に支持する支持部材１２３が固定されている。
支持部材１２３は、下枠１２の室内側立設部１２２に固定される固定部１２３ａと、固定部１２３ａの上方室内側に設けられた支持軸部１２３ｂと、固定部１２３ａの上方室外側に設けられた戸当り部１２３ｃを有している。戸当り部１２３ｃの室内側面にはホルダが設けられており、該ホルダに気密材が配置されている。
【００１８】
一方、障子２を構成する下框２２は、アルミニウム合金等の金属材料からなり、下框本体部２２１と、下框本体部２２１の室外側外周面から外周方向（下方）に延設された室外側壁部２２２と、下框本体部２２１の室内側外周面から外周方向（下方）に延設された軸受け部２２３を有しており、下框本体部２２１の内周側にガラス間口２２１ａが設けられている。なお、ガラス間口２２１ａ内には、加熱発泡材ｆが配置されていてもよい。
【００１９】
下框２２の軸受け部２２３が下枠１２に固定された支持部材１２３の支持軸部１２３ｂに回動自在に連結されており、支持軸部１２３ｂを軸にして障子２を内倒しで開閉することができる。
【００２０】
障子２の閉鎖状態において、支持部材１２３の戸当り部１２３ｃの室内側面に配置された気密材が下框２２の軸受け部２２３の室外側面に当接して気密部ｓ２が形成されており、支持部材１２３の固定部１２３ａの上方であって支持軸部１２３ｂと戸当り部１２３ｃの間には気密部ｓ２に近接して加熱発泡材ｆ２が配置されている。
【００２１】
（竪枠及び竪框）
本実施形態の枠体１を構成する竪枠（枠材）１３（なお、竪枠及び竪框の構成は、左右でほぼ同じであるので、以下、竪枠及び竪框についての説明は、左竪枠１３及び左竪框２３を用いて行う。）は、アルミニウム合金等の金属材料からなり、図２に示すように、躯体開口部の内周に固定される竪枠本体部１３１と、竪枠本体部１３１の室外側内周に設けられる中空部１３２と、竪枠本体部１３１の室内寄りの内周面から内周方向に延設される戸当り壁部１３３と、中空部１３２の室外側端から内周方向に延設される室外側壁部１３４を有している。
【００２２】
戸当り壁部１３３の室内側面に気密材が配置されており、竪枠本体部１３１の内周面で戸当り壁部１３３と中空部１３２の間に加熱発泡材ｆ３が配置されている。また、室外側壁部１３４の室内側面に、左竪框２３の室外側に当接する気密材が配置されている。
【００２３】
一方、障子２を構成する竪框（框材）２３は、アルミニウム合金等の金属材料からなり、図２に示すように、中空部を備える竪框本体部２３１と、竪框本体部２３１の室内側外周端から外周方向に延設された室内側壁部２３２と、竪框本体部２３１の室外側内周端から内周方向に延設された室外側ガラス間口壁２３３と、竪框本体部２３１の室内側内周面に取り付けられる押縁２３４を有している。
【００２４】
そして、左竪枠１３の中空部１３２の内周面と左竪框２３の竪框本体部２３１の外周面との間には、障子２の開閉動作を補助するダンパー８が配置されており、ダンパー８の下端が中空部１３２の内周面に固定され、ダンパー８の上端が竪框本体部２３１の外周面に固定されている。
【００２５】
障子２の閉鎖状態において、竪枠１３の戸当り壁部１３３の室内側面に配置された気密材が竪框２３の室内側壁部２３２の室外側面に当接して気密部ｓ３が形成されており、竪枠本体部１３１の内周面には気密部ｓ３に近接して加熱発泡材ｆ３が配置されている。
また、障子２の閉鎖状態において、竪枠１３の室外側壁部１３４の室内側面に配置された気密材が左竪框２３の室外側に当接して気密部ｓ４が形成されている。
【００２６】
以上のように、本実施形態の防火建具は、上枠１１と上框２１の間の空間に対しては、上枠１１と上框２１との気密部ｓ１の近傍に加熱発泡材ｆ１を配置しているので、火災時に加熱発泡材ｆ１が発泡して上枠１１と上框２１との間を塞いで室内外の連通を防止することができる。
同様に、下枠１２と下框２２の間の空間に対しては、下枠１２と下框２２との気密部ｓ２の近傍に加熱発泡材ｆ２を配置しており、竪枠１３と竪框２３との間の空間に対しては、竪枠１３と竪框２３との気密部ｓ３の近傍に加熱発泡材ｆ３を配置しているので、火災時には加熱発泡材ｆ２，ｆ３がそれぞれ発泡して下枠１２と下框２２の間及び竪枠１３と竪框２３の間を塞いで室内外の連通を防止することができる。
【００２７】
しかしながら、火炎の状況によっては、枠体や框の一部分が加熱等によって変形することがあり、特に、竪枠部分の下方領域は、ダンパー８のオイルに引火して爆発等するなどの原因によって大きく変形する可能性があり、加熱発泡材が発泡しても枠体と障子との間を十分に塞ぐことができない危険性があった。
【００２８】
そこで、本実施形態の防火建具においては、枠体もしくは框体に、加熱発泡材を枠体と框体との間に向かって発泡させる遮へい板を設けることで、発泡した加熱発泡材によって枠体と障子との間を塞ぐことができる。
以下、本実施形態の防火建具について、説明する。
【００２９】
−第１の実施形態−
本実施形態の防火建具は、火災時に、左竪枠（枠体）１３と左竪框（框体）２３との間の気密部ｓ３を塞ぐ加熱発泡材及び遮へい板を左竪枠１３に配置している。
具体的には、本実施形態の防火建具の左竪枠１３は、竪枠本体部１３１の内周面で中空部１３２と戸当り壁部１３３との間に、内周方向に向かって加熱発泡材ｆ３が配置されており、左竪枠１３の内周に、加熱発泡材ｆ３を覆うように遮へい板６が配置されている。
【００３０】
遮へい板６は、ステンレス等の金属材料からなり、図３（ｂ），（ｃ）に示すように、左竪枠１３に固定される固定部６１と、長さ寸法が固定部６１よりも短く加熱発泡材ｆ３を覆う遮へい部６２を有する薄板状部材であり、固定部６１の上下位置には、幅方向に長い長孔のビス止め穴６１ａ，６１ａが形成されている。
【００３１】
本実施形態の防火建具においては、遮へい板６は、図３（ａ）に示すように、下枠１２に固定された支持部材１２３の上端位置からダンパー８の左竪枠１３との連結部の上方位置にわたる長さ寸法の遮へい部６２を有している。
【００３２】
そして、図４（ａ）に示すように、左竪枠１３の中空部１３２に遮へい板６の固定部６１が固定されることで、遮へい部６２の反固定部側の端部は左竪枠１３の戸当り壁部１３３の内周端部に当接し、左竪枠１３の内周面に配置された加熱発泡材ｆ３のダンパー８の下端付近部分を覆うこととなる。このとき、遮へい板６の遮へい部６２の戸当り壁部１３３への当接部分６２ａは、左竪枠１３と左竪框２３との気密部ｓ３に隣接（近接）した状態となっている。
【００３３】
この状態で火災が発生すると、図４（ｂ）に示すように、竪枠本体部１３１の内周面に配置された加熱発泡材ｆ３が内周方向に向かって発泡するが、発泡した加熱発泡材ｆ３は遮へい板６にさえぎられて遮へい部６２を内周方向に押す。
【００３４】
加熱発泡材ｆ３に押された遮へい板６は遮へい部６２の反固定部側の端部が戸当り壁部１３３から離間するように変形して、左竪枠１３と左竪框２３との気密部ｓ３に近接した位置に加熱発泡材ｆ３が噴出する離間部６２ｂを形成することとなる。
【００３５】
このとき、遮へい板６は、離間部６２ｂから噴出する加熱発泡材ｆ３が左竪枠１３の戸当り壁部１３３と障子２の左竪框２３の室内側壁部２３２との間の気密部ｓ３に向かって発泡するガイドとなるように変形するので、加熱発泡材ｆ３によって左竪枠１３と左竪框２３との間をより確実に塞ぐこととなる。
【００３６】
−第2の実施形態―
本実施形態の防火建具は、左竪枠（枠体）１３と左竪框（框体）２３との間の気密部ｓ３を塞ぐ加熱発泡材及び遮へい板を左竪框２３に配置している。
具体的には、図５に示すように、左竪框２３は、室内側壁部２３２の室外側面で気密部ｓ３よりも内周側にホルダ２３２ａが形成されており、該ホルダ２３２ａに室外側方向に向かって加熱発泡材ｆ３が配置されるとともに、加熱発泡材ｆ３を覆うように遮へい板６が配置されている。
【００３７】
遮へい板６は、ステンレス等の金属材料からなり、図５（ａ）に示すように、左竪框２３に固定される固定部６１と、ホルダ２３２ａに配置された加熱発泡材ｆ３を覆う遮へい部６２を有する断面略L字状の薄板状部材である。なお、本実施形態の遮へい板６の長さ寸法は、左竪框２３に配置された加熱発泡材ｆ３のダンパー８の下端付近部分を覆うことができる程度の寸法でもよい。
【００３８】
そして、遮へい板６は、固定部６１が竪框本体部２３１の内周面に固定されて、遮へい部６２の反固定部側（外周側）の端部が左竪框２３の室内側壁部２３２に形成されたホルダ２３２ａの外周側片に当接することで、左竪框２３の室内側壁部２３２の室外側面に配置された加熱発泡材ｆ３を覆うこととなる。このとき、遮へい板６の遮へい部６２の左竪框２３への当接部分６２ａは、左竪枠１３と左竪框２３との気密部ｓ３に隣接（近接）した状態となっている。
【００３９】
この状態で火災が発生すると、図５（ｂ）に示すように、室内側壁部２３２の室外側面に配置された加熱発泡材ｆ３が室外側方向に向かって発泡しようとするが、発泡した加熱発泡材ｆ３は遮へい板６にさえぎられて遮へい部６２を室外側方向に押す。
【００４０】
加熱発泡材ｆ３に押された遮へい板６は、遮へい部６２の反固定部側の端部がホルダ２３２ａの外周側片から離間するように変形して、左竪枠１３と左竪框２３との気密部ｓ３に近接した位置に加熱発泡材ｆ３が噴出する離間部６２ｂを形成することとなる。
【００４１】
このとき、遮へい板６は、離間部６２ｂから噴出する加熱発泡材ｆ３が左竪枠１３の戸当り壁部１３３と障子２の左竪框２３の室内側壁部２３２との間の気密部ｓ３に向かって発泡するガイドとなるように変形するので、加熱発泡材ｆ３によって左竪枠１３と左竪框２３との間をより確実に塞ぐこととなる。
【００４２】
−第３の実施形態−
本実施形態の防火建具は、枠体１と障子２の吊元側の間を塞ぐ加熱発泡材及び遮へい板を左竪枠（枠体）１３に配置している。
本実施形態の防火建具においては、図６に示すように、左竪枠１３の竪枠本体部１３１は、室内側内周面に内周方向に延びる室内側壁部１３５を有している。
一方、障子２の左竪框２３は、竪框本体部２３１の室内側外周面に外周方向に延びる対向片部２３５を有している。
【００４３】
左竪枠１３の内周面と左竪框２３の外周面がヒンジ部材７によって連結され、枠体１に対して障子２が開閉自在に支持されており、障子２の閉鎖状態において、左竪枠１３の室内側壁部１３５と左竪框２３の対向片部２３５は、見込み方向で重複している。
【００４４】
左竪枠１３の室内側壁部１３５の室外側面には、左竪框２３の対向片部２３５との重複部分に隣接してホルダ１３５ａが形成されており、該ホルダ１３５ａに室外側方向に向かって加熱発泡材ｆ３が配置されており、加熱発泡材ｆ３を覆うように遮へい板６が配置されている。
【００４５】
遮へい板６は、ステンレス等の金属材料からなり、左竪枠１３の竪枠本体部１３１の内周面に固定される固定部６１と、左竪枠１３に配置された加熱発泡材ｆ３を覆う遮へい部６２を有する断面略Ｌ字状の薄板状部材である。
【００４６】
そして、図６（ａ）に示すように、左竪枠１３の竪枠本体部１３１の内周面に遮へい板６の固定部６１が固定され、遮へい部６２の反固定部側（内周側）の端部が左竪枠１３のホルダ１３５ａの内周側片に当接することで、左竪枠１３の室内側壁部１３５の室外側面に配置された加熱発泡材ｆ３を覆っている。このとき、遮へい板６の遮へい部６２のホルダ１３５ａへの当接部分６２ａは、左竪枠１３の室内側壁部１３５と左竪框２３の対向片部２３５との重複位置に隣接（近接）した状態となっている。
【００４７】
この状態で火災が発生すると、図６（ｂ）に示すように、室内側壁部１３５の室外側面に配置された加熱発泡材ｆ３が室外側方向に向かって発泡しようとするが、発泡した加熱発泡材ｆ３は遮へい板６にさえぎられて遮へい部６２を室外側方向に押す。
【００４８】
加熱発泡材ｆ３に押された遮へい板６は、遮へい部６２の反固定部側の端部がホルダ１３５ａの内周側片から離間するように変形して、左竪枠１３の室内側壁部１３５と左竪框２３の対向片部２３５の重複位置に近接して加熱発泡材ｆ３が噴出する離間部６２ｂを形成することとなる。
【００４９】
さらに、遮へい板６は、離間部６２ｂから噴出する加熱発泡材ｆ３を左竪枠１３の室内側壁部１３５と左竪框２３の対向片部２３５の重複位置に向かってガイドするように変形するので、加熱発泡材ｆ３によって左竪枠１３と左竪框２３との間をより確実に塞ぐこととなる。
【００５０】
−第４の実施形態−
本実施形態の防火建具は、第１の実施形態の防火建具において、さらに、左竪枠（枠体）１３と左竪框（框体）２３との間の室外側の気密部ｓ４を塞ぐ加熱発泡材及び遮へい板を、左竪枠１３に配置している。
具体的には、左竪框２３は、図７に示すように、室外側壁部１３４の室内側面で気密部ｓ４よりも外周側にホルダ１３４ａが形成されており、該ホルダ１３４ａに室外側方向に向かって加熱発泡材ｆ４が配置されるとともに、加熱発泡材ｆ４を覆うように遮へい板６が配置されている。
【００５１】
遮へい板６は、加熱発泡材ｆ４を覆うためのものを新たに設けてもよいが、図７（ｂ）に示すように、第１の実施形態の防火建具の遮へい板６の固定部６１の反遮へい部側を竪枠１３の室外側壁部１３４に沿って屈曲させて延長して第２の遮へい部６３を形成し、該第２の遮へい部６３によって室外側壁部１３４の室内側面に設けた加熱発泡材ｆ４を覆うようにしてもよい。
【００５２】
そして、左竪枠１３の中空部１３２に遮へい板６の固定部６１が固定されることで、遮へい部６２の反固定部側の端部は左竪枠１３の戸当り壁部１３３の内周端部に当接し、左竪枠１３の内周面に配置された加熱発泡材ｆ３のダンパー８の下端付近部分を覆うとともに、第２の遮へい部６３の反固定部側の端部は左竪枠１３の室外側壁部１３４に設けたホルダ１３４ａの内周側片に当接し、左竪枠１３の室外側壁部１３４に配置された加熱発泡材ｆ４のダンパー８の下端付近部分を覆う。
【００５３】
このとき、遮へい板６の第２の遮へい部６３のホルダ１３４ａへの当接部分６３ａは、左竪枠１３と左竪框２３との気密部ｓ４に隣接（近接）した状態となっている。
【００５４】
この状態で火災が発生すると、図７（ｃ）に示すように、室外側壁部１３４の室内側面に配置された加熱発泡材ｆ４が室内方向に向かって発泡するが、発泡した加熱発泡材ｆ４は遮へい板６の第２の遮へい部６３にさえぎられて第２の遮へい部６３を室内側方向に押す。
【００５５】
加熱発泡材ｆ４に押された第２の遮へい部６３の反固定部側の端部がホルダ１３４ａから離間するように変形して、左竪枠１３と左竪框２３との気密部ｓ４に近接した位置に加熱発泡材ｆ４が噴出する離間部６３ｂを形成することとなる。
【００５６】
このとき、遮へい板６は、離間部６３ｂから噴出する加熱発泡材ｆ４が室外側壁部１３４と竪框２３の室外側との間の気密部ｓ４に向かって発泡するガイドとなるように変形するので、加熱発泡材ｆ４と加熱発泡材ｆ３とによって左竪枠１３と左竪框２３との間をより確実に塞ぐことができる。
なお、上記第４の実施形態の説明において、第１の実施形態と同様の構成については、説明を省略した。
【００５７】
以上のように、本実施形態の防火建具は、枠体もしくは框体の一方に設けられている加熱発泡材を、変形可能な遮へい板によって覆い、加熱発泡材の発泡時に遮へい板を枠体と框体との間に導くように変形させることで、より確実に枠体と框体との間を塞ぎ防火性能を向上させることができる。
【００５８】
また、遮へい板を、障子の開閉を補助するオイルダンパ等の下方位置の近傍位置に配置することで、火災時に加熱発泡材がオイルダンパを包み込んでオイルの排出を妨げることを防止することができる。また、火災時に加熱発泡材が発泡することによりオイルダンパの下方が閉塞されることを抑制でき、オイルをスムーズに排出させることができる。
【００５９】
なお、上記実施形態の加熱発泡材及び遮へい板を、矛盾が生じない範囲で組み合わせて設けてもよい。
また、遮へい板の断面形状は、例えば、遮へい板は、平板でもよく、何ら限らない。
また、遮へい板は、その一部が枠体もしくは框材のいずれか（一方部材）に固定され、固定されている以外の部位が該一方部材に当接していればよく、該当接している部位が枠体もしくは框材のいずれか（他方部材）に近接していればよい。
【００６０】
また、遮へい板の材料は、ステンレスに限らない。例えば、アルミニウム合金や鋼材等の金属材料でもよく、熱等によって容易に溶融せずに加熱発泡材の発泡によって変形が可能な部材であれば特に限定されるものではない。
さらに、遮へい板の長さについても特に限定されるものではない。即ち、枠材もしくは框材の長手方向全長に亘る長さ寸法を有していても良いし、本実施形態の遮へい板のように、枠体もしくは框材の一部分の長さ寸法を有するものであってもよい。
また、遮へい板の固定は、ネジ等の固定手段によるものに限定されない。
【００６１】
また、窓種についても、内倒し窓に限定されるものではなく、ダンパーを備えない窓であっても良い。さらに、遮へい板が設けられる場所も、枠体の竪枠及び横枠、障子の竪框及び横框のいずれでもよい。
【００６２】
以上の実施形態は，請求項に記載された発明を限定するものではなく，例示として取り扱われることは言うまでもない。
【符号の説明】
【００６３】
１        ：枠体
２        ：障子
６        ：遮へい板
６１      ：固定部
６２      ：遮へい部
６２ａ    ：当接部分
６２ｂ    ：離間部
１３      ：左竪枠（枠材）
２３      ：左竪框（框材）
ｆ３      ：加熱発泡材
ｓ３      ：気密部
【図１】
2020204183.tif 000003
【図２】
2020204183.tif 000004
【図３】
2020204183.tif 000005
【図４】
2020204183.tif 000006
【図５】
2020204183.tif 000007
【図６】
2020204183.tif 000008
【図７】
2020204183.tif 000009